(57)【要約】  建物に取り付けるように適合されると共に少なくとも１枚のパネル（１０）と少なくとも１個の接続部品とを備えた、レンガ又はセラミック外装の外観を有するアルミニウム製の表面外装において、前記パネル（１０）は、前記パネル（１０）の上部に形成された翼部及び窪み部と、この窪み部に対して直角に形成されたポストと、パネル（１０）の下部から直角に水平方向に延在する第１のアーム（１３）と、この第１のアーム（１３）から下方に垂直に延在する第１の壁（１４）と、第１の壁（１４）の底部から水平方向に延在する第２のアーム（１５）と、この第２のアーム（１５）から下方に垂直に延在する第２の壁（１６）と、第２の段部（１６）の自由端に形成されると共に隣接する類似のパネル（１０．１）の窪み部（１２．２）に受け入れられるように適合されたノブ（１７）とを有する。【選択図】図３
2011515600.tif 000002
【特許請求の範囲】
【請求項１】
建物の表面において実施する、パネル（１０）と接続部品（２０）とを備えた、レンガ及びセラミック外装の外観を有するアルミニウム製の表面実施形態（１）であって、前記パネル（１０）の上部に形成された翼部（１１）及び窪み部（１２）と、窪み部（１２）に対して直角に形成されたポスト（１２．１）と、前記パネル（１０）と、パネル（１０）上に垂直に設けられた第１アームと、第１アーム（１３）上に垂直に設けられた第１段部（１４）と、第１アーム（１４）上に設けられた第２段部（１６）と、第２段部（１６）の端部に形成されたノブ（１７）とを有することを特徴とするアルミニウム製の表面実施形態（１）。
【請求項２】
接続部品（２０）は、構造体（２）に固定するハンドル（２１）、このハンドル（２１）と一体の垂直で単一の左右のビーム（２２）と、ビーム（２２）に対して垂直に一体的に設けられたコロン（２３）と、コロン（２３）の間に形成された中間部（２４）と、それらに形成された取り付け穴（２６）とを有することを特徴とする、請求項１に記載のアルミニウム製の表面実施形態（１）。
【発明の詳細な説明】
【技術分野】
【０００１】
本発明は表面外装に関する。特に、本発明は構造物の表面において実施する、レンガ及びセラミック製の表面外装の外観を有するアルミニウム製の実施形態に関する。
【背景技術】
【０００２】
現在、構造物の表面外装で使用される種々の材料から製造された種々の装置を有する外装がある。それらの内のあるものは取り付けの面で不利であり、あるものは耐久性の面で不利であり、あるものはコスト面で不利であり、あるものは外観面で不利である。
【０００３】
現在使用されている各種構造体の一種である表面外装は所定のプロフィルで製造されると共に、上面側を互いにクランプすることにより、含浸ふち飾り（welt）上で接続要素（ねじ、釘等）によって固定される。表面外装の本体が作られる間、ねじ、釘等の接続要素は、種々の要因で時間の経過と共に外装が右又は左に膨張するのを妨げないようにゆるく取り付けなければならない。釘やねじが外装に完全に固定される場合、この動作はゆるい取り付けとしては実現されない。何故なら、外装の膨張が阻止されるため、前面にうねりが生じる。上に述べた形態の場合、接続要素の頭部の底は略接触するようにされているため、このゆるい取り付けの可能性がなくなる。特に、２階建て以上の建物や風の当る領域では、外装は接続要素から引きはがされ、外れてしまう。
【０００４】
建物の表面を覆うために、大理石、花こう岩、セラミック、テラコッタ、木材、金属等、種々の材料から製造された外装パネルのための取り付け構造が実現された。建物の表面は塗料や異なる材料で覆われ、これは、最近開発されたサイディングと呼ばれるＰＶＣ系材料によって行われる。公知の伝統的な方法以外に、セラミック外装も開発されている。このセラミック外装は、金属、木材又は石／土に比べ、建物の表面のアイソレーションを高め、迅速に組立てることができ、衛生的であり、抗菌性があり、リサイクルが容易であり、連続的な手入れが不要であり、退色することがなく、掃除が容易である。上で述べた実施形態は、壁が建物の表面に取り付けられた後で組立てることができる。外装は、建物（支柱）の表面上の連結棒、スケルトン状の嵌め込まれた外側異形材、及び異形材に嵌め込まれたパネルとからなる。土系の材料から作られる表面外装は、使用する化学材料が少なく、環境及び地理的条件に耐え、建物の外側との分離を計画されたパターンで行うことができる。表面の色の組み合わせを色調の違いを伴うことなく実現できる。木材、金属及び類似の異なる原料から作られる外装は、セラミック外装よりも多く手入れを必要とし、製造も困難である。
【０００５】
別の表面の実施形態であるテラコッタ製の表面外装システムは、テラコッタ製で種々の寸法と断面を有する表面パネルからなり、このパネルは、表面の表面に形成された主支持システムに、アルミニウム支持パネル及び、ボルト、クリップ、可溶片（fuse）等の補助要素によって組み付けられる。主支持システムは、一般に亜鉛メッキで被覆された異形材箱等の材料からなる現存の表面と、コンクリート、レンガ、気泡コンクリート、ブロック等とを連結するアンカー要素を含む。鋼製の壁プラグ、プラスチック製の壁プラグなどの接続要素をアンカー要素に適用できる。
【０００６】
公知の技術に関しては、「表面タイル」の見出しの特許文献１、「建物外壁表面外装ユニット」の見出しの特許文献２、「建物表面」の見出しの特許文献３及び「外装シートに関する改良」の見出しの特許文献４を、壁の外側表面において画定されると共に準備された釘の上に取り付けられるセラミックパネルの例として挙げることができる。「異形材クランプ式建物表面外装構造」の見出しの特許文献５では、建物の表面壁に組み付けられた異形材、異形材を強固に覆うバルジ、レンガを異形材に差し込むクリップ、及びクリップの内部構造が実現されている。
【０００７】
上述の各実施形態では、異形材に置かれたセラミックパネルを特別な釘によって取り付けることは、複雑なだけでなく特別な装置を必要とすることから実現出来ない。取り付け構造のために、建物の表面外装パネルは、取替え及び手入れに対しては適切でない。パネルが損傷した場合、それらの修理は簡単ではない。表面のパターンや色設計が変更された場合、全体の修理が必要となる。長い時間を必要とする修理は、仕事、時間及び経済の面での損失につながる。建物外装を迅速且つ容易に行うためには、簡単に取り外せるパネルが必要となる。
【０００８】
また、公知の技術では、建物の表面に装飾的外観を持たせると共に、この建物に断熱性を持たせるために、スチロール材料から作られる外装材が建物の表面に取り付けられる。
【０００９】
その結果、レンガ及びセラミックの外観を有するアルミニウム製表面の実施形態に対する必要性が存在し、既存の解決策が不十分であるため、関連する技術分野における開発が必要となった。
【先行技術文献】
【特許文献】
【００１０】
【特許文献１】ドイツ特許３６２０３２３号
【特許文献２】ドイツ特許１９８０３１５０号
【特許文献３】英国特許第２０６７６２２号
【特許文献４】英国特許第２１２６６１７号
【特許文献５】トルコ特許第２００６０３６１５号
【発明の概要】
【発明が解決しようとする課題】
【００１１】
従来技術の欠点を解消するために、本発明の目的は、軽量性により、構造体に加わる重量に関しての利点を提供することである。
【００１２】
本発明の別の目的は、その軽量性により、取り付けを容易にすることである。
【００１３】
本発明の別の目的は、アルミニウム材料に変更してリサイクル可能とすることである。
【００１４】
本発明の別の目的は、色の変更を容易にすることである。
【００１５】
本発明の別の目的は、好ましくは、異なる色を選択して装飾的にできるようにすることである。
【００１６】
本発明の別の目的は、自然の影響（雪、雨、風等）の影響を受けないようにして、耐候性と長寿命を実現することである。
【００１７】
本発明の別の目的は、その材料と構造に関して低コストと経済性を実現することである。
【００１８】
本発明の別の目的は、所望の寸法で生産できるようにすることである。
【００１９】
本発明の目的は、特に大理石、花こう岩、テラコッタ、木材、金属等の表面外装パネルの取り付け／取り外しを行う器具を改善することにより現在の欠点を解消することである。
【００２０】
本発明の別の目的は、建物の表面外装の取り付けを簡単に行えるようにして、作業、時間及びコストを節約することである。
【００２１】
本発明の別の目的は、必要な場合に建物の表面外装の取り外せるようにして、手入れや修理を容易に行えるようにすることである。
【課題を解決するための手段】
【００２２】
本発明は、建物の表面において実施する、パネル（１０）と接続部品（２０）とを備えた、レンガ及びセラミック外装の外観を有するアルミニウム製の表面実施形態（１）であって、上で述べた利点を提供するために、前記パネル（１０）の上部に形成された翼部（１１）及び窪み部（１２）と、窪み部（１２）に対して直角に形成されたポスト（１２．１）と、前記パネル（１０）と、パネル（１０）上に垂直に設けられた第１アームと、第１アーム（１３）上に垂直に設けられた第１段部（１４）と、第１アーム（１４）上に設けられた第２段部（１６）と、第２段部（１６）の端部に形成されたノブ（１７）とを有しており、前記接続部品（２０）は、構造体（２）に固定するハンドル（２１）、このハンドル（２１）と一体の垂直で単一の左右のビーム（２２）と、ビーム（２２）に対して垂直に一体的に設けられたコロン（colon）（２３）と、コロン（２３）の間に形成された中間部（２４）と、それらに形成された取り付け穴（２６）とを有している。
【００２３】
本発明の構造的及び特徴的特性並びに全ての利点は、下に示す図面及びこれらの図面を参照して記載された詳細な説明によってより良くできるであろう。また、この理由のため、これらの図面及び詳細な説明を考慮して評価を行うことが必要である。
【図面の簡単な説明】
【００２４】
【図１】本発明による取り付けの全体的概略図。
【図２】パネルの側部からみた取り付けの概略図。
【図３】側部からみたパネルの取り付けの詳細な概略図。
【図４】接続部品の全体的概略図。
【図５】接続部品の代替実施形態の全体的概略図。
【発明を実施するための形態】
【００２５】
本発明は、一般に、建物の表面に適用する、レンガ及びセラミック外装を有するアルミニウム製表面の実施形態（１）に関し、パネル（１０）と接続部品（２０）とを有している。
【００２６】
図１は、本発明による取り付けの全体的な概略図を示す。図１によれば、接続部品（２０）は、構造体（２）の表面の底部に所定の間隔で垂直に取り付けられている。この部品（２０）をとりつけた後、部品（２０）の間でパネル（１０）がそれらに取り付けられる。好ましくは、前記パネルはアルミニウム材料から作られ、装飾的とするために、セラミック、レンガ等の外観のものが購入される。
【００２７】
図２は、パネル（１０）の側方から見た取り付けの概略図である。図から分かるように、前記パネル（１０）の上部には、翼部（１１）と窪み部（１２）が形成され、ポスト（１２．１）が窪み部（１２）に対して直角に形成されている。パネル（１０）の下部には、段部（１４、１６）、アーム（１３、１５）及びノブが見える。前記パネル（１０）は、翼部の下部に形成された取り付け穴（１１．１）を介して取り付け要素（３０）により接続部品（２０）に取り付けられている。
【００２８】
図３は、側部から見たパネル（１０）の取り付けの詳細な概略図である。図から分かるように、前記パネル（１０）、前記パネル（１０）上に垂直に設けられた第１アーム、第１アーム（１３）上に垂直に設けられた第１段部（１４）、第１アーム（１４）上に設けられた第２段部（１６）、及び第２段部（１６）の端部に形成されたノブ（１７）が設けられている。前記パネル（１０）は、翼部から嵌め込み（plugging）によって接続部品（２０）に固定され、その後、パネル（１０）は、頂部から取り付けられると共に固定された下方パネル（１０．１）の上に置くことによって取り付けられる。前記下方パネル（１０．１）は、翼部（１１．２）と接続部品（２０）において固定される。置く動作は、パネル（１０）の第２アーム（１５）を下方パネル（１０．１）のポスト（１２．３）上に置き、第２段部（１６）の端部に形成されたノブを下方パネル（１０．１）と下側窪み部（１２．２）の上に置くことによって実現される。そして、下方パネル（１０．１）の上に置かれたパネル（１０）がその頂部において、取り付け要素（３０）により翼部を介して接続部品（２０）に固定される。この図において、前記表面の実施形態（１）はパネル（１０及び１０．１）が互いに重なることで完成する。
【００２９】
図４は、接続部品（２０）の全体的概略図である。この図から分かるように、接続部品（２０）は、構造体（２）に固定するハンドル（２１）、ハンドル（２１）と一体の垂直で単一の左右ビーム（２２）、ビーム（２２）に対して垂直に一体的に設けられたコロン（２３）、コロン（２３）の間に形成された中間部分（２４）、及びそれらに形成された取り付け穴（２６）を有する。中間部分（２４）はコロン（２３）の間に形成される。更に、前記パネル（１０及び１０．１）をビーム（２２）上に置くために、着座面（２５）及び取り付け穴（２６）が形成されている。前記パネル（１０及び１０．１）の翼部（１１）は、取り付け要素（３０）により、取り付け穴（２６）を介して接続部品（２０）上のビームに固定される。
【００３０】
図５は、接続部品（２０）の代替実施形態の全体的概略図である。この図によれば、違いは、コロン（２３）が上部で接続されていることである。
【００３１】
本出願の保護の範囲は特許請求の範囲において定義され、実施形態だけについて行った上記の記載によって限定されない。当業者であれば、類似の実施形態を使用して、本プロジェクトで導入した革新技術を容易に導入でき、及び／又は本実施形態を類似の目的で他の分野において実施できることは明らかである。従って、そのような実施形態は技術革新の判断基準に欠くことは明らかである。
【符号の説明】
【００３２】
１  表面の実施形態
２  構造物（建物）
１０  パネル
１０．１  下方パネル
１１、１１．２  翼部
１１．１  取り付け穴
１２、１２．２  窪み部
１２．１、１２．３  ポスト
１３  第１アーム
１４  第１段部
１５  第２アーム
１６  第２段部
１７  ノブ
２０  接続部品
２１  ハンドル
２２  ビーム
２３  コロン
２４  中間部
２５  着座面
２６  取り付け穴
３０  取り付け要素
【図１】
2011515600.tif 000003
【図２】
2011515600.tif 000004
【図３】
2011515600.tif 000005
【図４】
2011515600.tif 000006
【図５】
2011515600.tif 000007
【国際調査報告】
2011515600.tif 000008
2011515600.tif 000009
2011515600.tif 000010